(57)【要約】【課題】従来の立看板は、そのすべてが鉄製であり重く取扱いが容易ではなかった。また、金属製の標示板が損傷してしまうと、まだ十分に使用可能な立看板枠をも廃棄しなければならず、省資源に反するなどの問題があった。【解決手段】立看板枠に被せて利用する標示シートであって、立看板枠にあてがった状態で立看板正面外枠にて区画される領域の全部または一部を占める標示面と、標示面縁部に備えられ立看板枠に標示面をあてがった状態で立看板の枠で折り返して標示面の裏側にそって張設される複数の折返片とからなる立看板標示シート、および、この立看板標示シートを被せた立看板を提供する。【選択図】図１
2011137950.tif 000002
【特許請求の範囲】
【請求項１】
立看板枠に被せて利用する標示シートであって、
立看板枠にあてがった状態で立看板正面外枠にて区画される領域の全部または一部を占める標示面と、
標示面縁部に備えられ立看板枠に標示面をあてがった状態で立看板の枠で折り返して標示面の裏側にそって張設される複数の折返片と、
からなる立看板標示シート。
【請求項２】
前記折返片は、
標示面を中心に互いに対向する位置に配され、
前記張設のために互いに対向する折返片を結ぶ連結紐のための連結紐取付部を有する請求項１に記載の立看板標示シート。
【請求項３】
前記折返片のうち立看板の最上部に渡された外横枠に対応して折り返される最上折返片は、標示面上部分とともに袋状に構成され、外横枠を含む立看板枠上部にかぶせることができるように構成されている請求項１または２に記載の立看板標示シート。
【請求項４】
前記折返辺は、光透過性材料からなる請求項１から３のいずれか一に記載の立看板標示シート。
【請求項５】
前記標示面は、通気孔を有する請求項１から４のいずれか一に記載の立看板標示シート。
【請求項６】
前記標示面の素材をターポリンとする請求項１から５のいずれか一に記載の立看板標示シート。
【請求項７】
前記標示面の表面を再帰性反射材とする請求項１から６のいずれか一に記載の立看板標示シート。
【請求項８】
請求項１から７のいずれか一に記載の立看板標示シートを立看板枠に被せることによってなる立看板。
【請求項９】
前記立看板枠の断面開口部に挿入するための挿入部を有するコーナークッションを取り付けた請求項８に記載の立看板。
【請求項１０】
前記コーナークッションに再帰性反射材を貼付した請求項９に記載の立看板。
【発明の詳細な説明】
【技術分野】
【０００１】
本発明は、立看板に被せて利用する標示シート、および、この標示シートを被せた立看板に関する。
【背景技術】
【０００２】
工事現場などで用いられる従来の立看板は、金属製の立看板枠に金属製の標示板が取り付けられている。立看板は、屋外で用いられることがほとんどで、また、粗略に取り扱われることが多く、耐用年数は長いものではない。特に標示板は、薄い金属板を用いているため傷みやすく、立看板枠に損傷が生じていなくとも、標示板の損傷により、立看板が使用できなくなってしまう。すなわち、十分に使える立看板枠も損傷した標示板とともに廃棄されてしまうことになり、省資源に反するものとなる。
【０００３】
また、立看板の標示内容は多数あり、標示内容ごとに立看板を用意することは、費用や保管場所などの様々な負担を生じさせることになる。これらの負担は、立看板を使用する事業者にとって、また、立看板の販売やレンタルを行う事業者にとっても軽いものではない。
【０００４】
さらに、従来の立看板は、そのすべてが金属製であることから重く、取扱いが容易ではない。
【０００５】
そこで、金属製の標示板を用いず、枠体に標示用のシートを取外し可能に張り付けてなる看板が提案されている。
【先行技術文献】
【特許文献】
【０００６】
【特許文献１】特開平１０−１８７０７７号公報
【発明の概要】
【発明が解決しようとする課題】
【０００７】
この従来技術は、弾性部材からなり断面形状Ｃ型に形成されたクリップを、枠部材の内周側あるいは前面のいずれか一方に複数取り付けて、これらのクリップで看板枠の外側から回された標示用シートを係止するものである。
【０００８】
この従来技術は、標示シートの張替を可能とするものであるが、枠体に設けられる複数のクリップのそれぞれを操作し標示シートを適正位置に張ることは、決して容易な事とはいえない。また、標示シートが張替可能となるのは、この特別なクリップが予め備えられた枠体のみである。つまり、画一された寸法で作られている工事現場用の立看板などには、活用できないものである。
【課題を解決するための手段】
【０００９】
そこで、上記課題を解決するために本発明において、以下の立看板標示シートなどを提供する。すなわち、第一の発明としては、立看板枠に被せて利用する標示シートであって、立看板枠にあてがった状態で立看板正面外枠にて区画される領域の全部または一部を占める標示面と、標示面縁部に備えられ立看板枠に標示面をあてがった状態で立看板の枠で折り返して標示面の裏側にそって張設される複数の折返片とからなる立看板標示シートを提供する。
【００１０】
第二の発明としては、前記折返片は、標示面を中心に互いに対向する位置に配され、前記張設のために互いに対向する折返片を結ぶ連結紐のための連結紐取付部を有する第一の発明に記載の立看板標示シートを提供する。
【００１１】
第三の発明としては、前記折返片のうち立看板の最上部に渡された外横枠に対応して折り返される最上折返片は、標示面上部分とともに袋状に構成され、外横枠を含む立看板枠上部にかぶせることができるように構成されている第一の発明または第二の発明に記載の立看板標示シートを提供する。
【００１２】
第四の発明としては、前記折返辺は、光透過性材料からなる第一の発明から第三の発明のいずれか一に記載の立看板標示シートを提供する。
【００１３】
第五の発明としては、前記標示面は、通気孔を有する第一の発明から第四の発明のいずれか一に記載の立看板標示シートを提供する。
【００１４】
第六の発明としては、前記標示面の素材をターポリンとする第一の発明から第五の発明のいずれか一に記載の立看板標示シートを提供する。
【００１５】
第七の発明としては、前記標示面の表面を再帰性反射材とする第一の発明から第六の発明のいずれか一に記載の立看板標示シートを提供する。
【００１６】
第八の発明としては、第一の発明から第七の発明のいずれか一に記載の立看板標示シートを立看板枠に被せることによってなる立看板を提供する。
【００１７】
第九の発明としては、前記立看板枠の断面開口部に挿入するための挿入部を有するコーナークッションを取り付けた第八の発明に記載の立看板を提供する。
【００１８】
第十の発明としては、前記コーナークッションに再帰性反射材を貼付した第九の発明に記載の立看板を提供する。
【発明の効果】
【００１９】
本発明により、立看板枠を無駄なく活用することにより省資源に寄与するとともに、軽量かつ費用等の負担の少ない立看板を実現することが可能である。
【図面の簡単な説明】
【００２０】
【図１】実施形態１に係る立看板標示シートを平面上に展開した概念図。
【図２】立看板枠の概念図。
【図３】実施形態１に係る立看板標示シートを被せた立看板の概念図。
【図４】実施形態１に係る折返片の一例図。
【図５】実施形態１に係る折返片の一例図。
【図６】実施形態１に係る折返片の一例図。
【図７】実施形態２に係る立看板標示シートを被せた立看板の概念図。
【図８】実施形態２に係る最上折返片を立看板枠上部に被せる態様の一例図。
【図９】実施形態４に係る立看板標示シートの概念図。
【図１０】実施形態４に係る通気孔の一例図。
【図１１】実施形態６に係る立看板の概念図。
【図１２】実施形態６に係るコーナークッションの一例図。
【発明を実施するための形態】
【００２１】
以下、本発明の実施の形態について、添付図面を用いて説明する。なお、本発明は、これら実施形態に何ら限定されるべきものではなく、その要旨を逸脱しない範囲において、種々なる態様で実施し得る。
【００２２】
実施形態１は、主に請求項１、請求項２、請求項６、請求項７などに関する。実施形態２は、主に請求項３などに関する。実施形態３は、主に請求項４などに関する。実施形態４は、主に請求項５などに関する。実施形態５は、主に請求項８などに関する。実施形態６は、主に請求項９、請求項１０などに関する。
<実施形態１>
<実施形態１  概要>
【００２３】
本実施形態は、立看板枠に被せて利用する標示シートであって、標示面縁部に備えられる複数の折返片を立看板の枠で折り返して標示面の裏側にそって張設することで、立看板として利用することができる標示シートである。
<実施形態１  構成>
【００２４】
本実施形態の立看板標示シートは、立看板枠に被せて利用する標示シートであって、立看板枠にあてがった状態で立看板正面外枠にて区画される領域の全部または一部を占める標示面と、標示面縁部に備えられ立看板枠に標示面をあてがった状態で立看板の枠で折り返して標示面の裏側にそって張設される複数の折返片とからなる
【００２５】
本実施形態の立看板標示シートについて、図１から図３を用いて、以下に説明する。図１は、立看板標示シートを平面上に展開した概念図である。図２は、立看板枠の概念図である。図３は、立看板標示シートを被せた立看板の正面側および裏側の概念図である。
【００２６】
「立看板」とは、伝達すべき情報を文字や絵図として標示した板であって、起立して設置した状態で、その情報が読み取れる板である。電柱や壁などの建造物に立てかけたりくくりつけたりするなどして起立させるものであってもよいし、脚を備えることで自立可能となるものであってもよい。
【００２７】
図２に示すように、「立看板枠」は、標示のための板部材を掛け渡すために複数の枠部材を、溶接などにより組み合わせた構造となっている。枠部材は、例えば、断面が四角形の管になっているものがある。図２に示す立看板枠は、使用時に一端が接地され略平行に配置される２本の枠部材（０２０１、０２０２）の間に３本の枠部材（０２０３、０２０４、０２０５）を渡した構造を有するものである。ここで、説明の便宜のため、本明細書において、前記使用時に一端が接地され略平行に配置される２本の枠部材を「外縦枠」とし、渡される３本の枠部材のうち最上部と最下部に渡される２本の枠部材（０２０３、０２０４）を「外横枠」とする。なお、前記３本の枠部材のうち、外横枠に該当しない枠部材は、補強などのために渡されているものであり、立看板枠において必須のものではないが、これを備える立看板枠が多い。サイズとしては例えば横幅が５５０ミリメートル、高さが１６００ミリメートルのシングルと呼ばれるタイプのものや、横幅が１１００ミリメートルで高さが１６００ミリメートルのダブルと呼ばれるものがある。
【００２８】
「立看板正面外枠」は、立看板枠のうち、外縦枠と外横枠とにより作られる閉じた領域を囲む枠であり、かつ、立看板を利用する際に、これを見る者に対して向ける側の枠をいう。図２においては、点線で示された領域を囲む枠（０２０６）をいう。
【００２９】
「標示面」（０１０１）は、標示シートのうち、標示シートを立看板枠にあてがった状態で立看板正面外枠にて区画される領域の全部または一部を占める領域である。図１において、標示面は工事中であることの注意喚起の情報が標示されているものである。この標示面は、立看板枠にあてがった状態で立看板正面外枠の略全部を占めるように形成されている。
【００３０】
「折返片」（０１０２、０１０３、０１０４、０１０５、０１０６、０１０７）は、標示面縁部に備えられる。「標示面縁部」とは、標示面の外縁の部分をいう。各折返片には、張設するためのハト目（０１０８、０１０９、０１１０、０１１１、０１１２、０１１３）が備えられている。
【００３１】
立看板標示シートを立看板枠に被せた状態について、図３を用いて説明する。標示面（０３０１）は、立看板正面外枠にて区画される領域の略全部を占めるものであるので、正面側を見ると、立看板枠（０３０２）のうち外縦枠の一部のみが露出した状態となる。
【００３２】
立看板枠のうち、外横枠で折り返される二の折返片（０３０３、０３０４）は、標示面の裏側にそって、両端にフックを備えたゴム紐（０３０７）で結び張設される。外縦枠で折り返される折返片（０３０５、０３０６、０３０８、０３０９）についても同様に、対向する折返片を結んで張設される。このように、標示シートを立看板枠にあてがって、立看板枠で折り返して標示面の裏側にそって折返片を張設することで、標示シートは立看板枠に保持される。
【００３３】
折返片の張設は、折返片を互いに結んで張設することに限られない。例えば、一の折返片と対向する立看板枠とで張設してもよい。図３を例にすれば、最上部の外横枠で折り返される折返片に付けられたゴム紐の一端を、最下部の外横枠に引っかけることによっても張設される。外縦枠で折り返される折返片についても同様である。
【００３４】
図３において、折返片が被さらない領域（０３１０）があるが、自立可能な立看板においては、自立のための脚を取り付けるための領域を空けておくためである。また、下部の外横枠で折り返される折返片（０３０４）は、図示したように外横枠の中央部で折り返されるようにしてもよい。折返片の左右の外横枠が露出することで、自立可能な立看板において、転倒防止のための重しを外横枠に載せることができる。
【００３５】
折返片の形状は、図のような略台形や略矩形に限定するものではない。折返片が立看板枠に接する領域が大きい方が、標示シートがずれにくくなったり、標示シートにしわなどが生じにくくなったりする。また、折返片にプラスチックなどの薄い板を貼付するなどして板状にしても同様の効果が得られる。
【００３６】
また、折返片をゴムなどの弾性材料としてもよく、張設される一の折返片にフックなどを取り付けて、対向する折返片に設けたハト目などの貫通穴に引っかけることにより、紐やベルトなどの他の部材を用いることなく張設することもできる。
【００３７】
折返片の張設は、種々なる態様で実現することが可能である。その例を以下に示す。図４は、樹脂バックルを用いる場合を示したものである。外縦枠（０４０５）で折り返される折返片（０４０１）の双方には、ベルト（０４０２、０４０３）が縫い付けられ、樹脂バックル（０４０４）を介して張設される。樹脂バックルは、ベルトの調節を片側にて行うタイプを用いてもよいし、両側にて行うタイプを用いてもよい。片側で調節する場合には、一方のベルトを調節するだけで適度に締め付けることが可能になるという利点がある。また、両側で調節する場合には、バックルをベルトに縫い付けるなどして固定する手間が省けるという利点がある。
【００３８】
図５は、面ファスナーを用いる場合を示すものである。外縦枠（０５０５）で折り返される折返片のうち一方（０５０１）に面ファスナーよりなるベルト（０５０３）を縫い付け、他方の折返片（０５０２）には、当該ベルトを通すためのハト目（０５０４）を設ける。そして、ベルトをハト目などの貫通穴に通して折返し、面ファスナーを接着することで張設することができる。
【００３９】
図６は、折返片を結んで張設するための紐などを用いる場合を示すものである。外縦枠（０６０５）で折り返される折返片（０６０１）のそれぞれには、紐などを通すため、あるいは、引っかけるためのハト目などの貫通穴（０６０２）を設ける。そして、例えば、両端にフックのついたゴム紐（０６０３）を貫通穴に引っかけて張設したり、あるいは、それぞれの貫通穴に紐（０６０４）を通したうえで、紐を結ぶことにより張設したりすることができる。
【００４０】
以上、図４から図６を用いて説明した折返片の張設については、外横枠で折り返す場合
も同様である。
【００４１】
折返片を、標示面縁部のどこに配するかについて、特段の限定を加えるものではない。しかしながら、矩形に形成される立看板が多いことを考慮すると、折返片は、標示面を中心に互いに対向する位置に配されることが好ましい。このように配することにより、折り返される立看板枠の向きと、略直交する方向に引っ張りあう力が生じ、標示シートが立看板枠に安定的に保持され得る。
【００４２】
また、この場合において、図６に示したように、張設のために互いに対向する折返片を結ぶ連結紐のための連結紐取付部を有する標示シートとしてもよい。「連結紐」とは、折返片を結ぶためのものであり、例えば、ベルトやゴム紐や紐などである。また、「連結紐取付部」は、連結紐を取り付けるためのものであり、例えば、連結紐を通したり、引っかけたりするための穴などである。より具体的には、ハト目などが挙げられる。さらに、連結紐取付部の周辺などを上述したように板状に補強してもよい。
【００４３】
標示シートの材質は、屋外で使用することを考慮して、防水性、耐水性、耐腐食性、耐久性などに富んだものが好ましい。例えば、「ターポリン」と称呼される布が好ましい。ターポリンは、その語義は「防水布」であり、テントや幌など屋外で使用される布材料として多く用いられている。具体的には、例えばポリエステル素材の織物に、合成樹脂フィルム（軟性ポリ塩化ビニル、ポリウレタン、エチレン酢酸ビニルなど）を貼り合わせたものなどが挙げられる。なお、使用条件によっては、標示面の裏側に樹脂製や木製の薄い板状部材を接着するなどして補強してもよい。その際に標示面の裏側全部を補強してもよいし、特に標示面の外縁部分を補強してもよい。補強のための部材は軽量かつ丈夫なものが好ましい。
【００４４】
標示面については表面を再帰性反射材としてもよい。再帰性反射材は、入射角にかかわらず、入射光が入射した方向（光源）に向かってそのまま反射する反射材である。具体的には、ガラスビーズやプリズムをシートに敷き詰めたものなどがある。標示面を再帰性反射材とすることにより、視認性がより高まる。
<実施形態１  効果>
【００４５】
本実施形態の立看板標示シートにより、立看板枠を無駄なく活用することができるとともに、軽量かつ費用等の負担の少ない立看板を実現することが可能である。
<実施形態２>
<実施形態２  概要>
【００４６】
本実施形態は、標示シートの上部を袋状に構成し、この袋状の部分を立看板枠の上部から被せることにより、標示シートの位置決めが容易に行える立看板標示シートである。
<実施形態２  構成>
【００４７】
本実施形態の立看板標示シートは、実施形態１の立看板標示シートを基本とし、折返片のうち立看板の最上部に渡された外横枠に対応して折り返される最上折返片は、標示面上部分とともに袋状に構成され、外横枠を含む立看板枠上部にかぶせることができるように構成されている。最上折返片以外の構成については実施形態におけるものと同様であるため、ここでの説明を省略する。
【００４８】
図７は、本実施形態の立看板標示シートを立看板枠に被せた状態の概念図である。折返片のうち立看板枠（０７０１）の最上部に渡された外横枠（０７０３）に対応して折り返される最上折返片（０７０２）は、標示面上部分（０７０４）とともに袋状に構成される。標示面上部分とは、立看板標示シートを立看板枠に被せて利用する状態にて、標示面のうちで上方に位置する部分である。最上折返片とともに袋状を構成するため、標示面のうち上端部分をも含むものである。
【００４９】
最上折返片は連結紐取付部（０７０５）を有し、最上折返片と対向する折返片（０７０６）と連結紐により張設される。図示した立看板標示シートは、加えて、外縦枠で折り返される折返片（０７０７、０７０８）を備えるものである。なお、本実施形態の立看板標示シートは、連結紐取付部を備えるものに限られるものではなく、実施形態１において説明したように樹脂バックルや面ファスナーなどにより張設するものであってもよい。
【００５０】
「最上折返片」は、標示面上部分とともに袋状に構成され、外横枠を含む立看板枠に被せることができるように構成される。袋状とは、何らかのものを収めるための開口部分と、収めたものが落ちないように底の部分とを備えるものである。すなわち、袋状の最上折返片の底の部分まで被せることにより、それ以上標示シートを被せることができなくなり、少なくとも上下方向の位置決めが容易になる。
【００５１】
最上折返片は、縫製や接着により袋状に構成してもよいし、面ファスナーや線ファスナー、ボタンなどの点ファスナーを用いて袋状に構成してもよい。
【００５２】
なお、最上折返片のうち立看板枠上部の角の部分と対応する部分については、開口させておいてもよい。これは、角の部分との接触による損傷を防止したり、角の部分にクッションなどを設けたりするためである。
【００５３】
図８は、最上折返片を立看板枠上部に被せる態様の一例を示すものである。最上折返片（０８０１）は、直方体の一面を開口させたような袋状に構成される。これは、立看板枠上部（０８０２）の立体的形状に対応させたものである。そして、開口した部分から袋の底までの距離をある程度とることにより、左右方向にずれにくくなり位置決めが容易になる。
【００５４】
このように、立看板枠上部が最上折返片にちょうど良く収まるようにすることにより、標示面が適正な位置になるように標示シートを被せることが容易になる。
【００５５】
最上折返片において、立看板の裏側に位置する領域に、標示面の写しを視認可能に収めることのできるポケットを設けてもよい。標示面を見て確認せずに標示シートを立看板枠に取り付けることが可能となる。
<実施形態２  効果>
【００５６】
本実施形態の立看板標示シートにより、立看板標示シートを適正位置に被せることが容易にできる。
<実施形態３>
<実施形態３  概要>
【００５７】
本実施形態は、標示面の裏側にそって張設される折返片を光透過性材料とすることにより、標示面の裏側から光を当てることで、内照式看板のように利用することができる立看板標示シートである。
<実施形態３  構成>
【００５８】
本実施形態の立看板標示シートは、実施形態１または２を基本とし、折返片が光透過性材料からなる。光透過性材料とは、光を透過する性質を有する材料である。例えば、ポリプロピレン、ポリエステル、塩化ビニル、ポリフッ化ビニルなどの合成樹脂を用いた光透過性材料がある。また、補強のために樹脂製の糸を格子状に編織したネットを光透過性の合成樹脂フィルムでサンドしたシートなども好ましい。
【００５９】
光透過性材料からなる折返片を備える立看板標示シートを立看板枠に被せて利用する場合に、標示面の裏側に照明器具を設置することにより、照射される光が折返片を透過し、さらに、多からずとも光透過性を有する標示シートの裏側に当たり夜間の視認性が向上する。自ら光源を持たない歩行者などに対して注意喚起をすることができ有用である。照明器具としては、例えば、太陽電池により点灯あるいは点滅する保安灯などを用いてもよい。また、複数のＬＥＤなどを標示面の裏側に設置してもよい。
<実施形態３  効果>
【００６０】
本実施形態の立看板標示シートにより、自ら光源を持たない歩行者などに対しても十分に注意喚起をすることのできる立看板を実現することが可能である。
<実施形態４>
<実施形態４  概要>
【００６１】
本実施形態は、標示面が通気孔を有することにより、風を受けた場合にも倒れにくい立看板を実現することができる立看板標示シートである。
<実施形態４  構成>
【００６２】
本実施形態の立看板標示シートは、実施形態１から３のいずれかを基本とし、標示面が通気孔を有するものである。図９は、本実施形態の立看板標示シートの概念図である。立看板枠に被せられた標示シートの標示面（０９０１）には、通気孔としての切込（０９０２）が施されている。
【００６３】
「通気孔」とは、空気を通すための孔である。通気孔は、標示面に孔を開けてもよいし、切込を入れて孔としてもよい。通気孔として切込を入れる場合の方が、標示面に標示される情報等の視認性が低下しにくく、また、標示面の強度の低下も抑えられる。図９のように縦方向に断続的な切込を入れるとともに、横方向に隣り合う切込の位置を上下にずらしことにより、標示面の強度の低下を抑えることができる。
【００６４】
通気孔は、何らかの文字や図柄などを抜き加工することにより設けてもよい。このようにすることにより、通気孔自体が何らかの情報を標示することになり、特に立看板の裏側から照明を当てた場合には、夜間の視認性を高める効果も期待できる。
【００６５】
通気孔の別の例を図１０に示す。図１０ａは、標示面（１００１ａ）の横方向に切込（１００２ａ）を入れたものである。図１０ｂは、標示面（１００１ｂ）の斜め方向に切込（１００１ｂ）を入れたものである。図１０ｃは、標示面（１００１ｃ）にＬ字状の切込（１００２ｂ）を入れたものである。図１０ｄは、標示面（１００１ｄ）にＵ字状の切込（１００２ｄ）を入れたものである。
【００６６】
なお、標示面だけでなく折返片にも通気孔を設けてもよい。これにより、より効果的に空気を通すことが可能となる。
<実施形態４  効果>
【００６７】
本実施形態の立看板標示シートにより、風を受けた場合であっても倒れにくい立看板を実現することが可能である。
<実施形態５>
<実施形態５  概要>
【００６８】
本実施形態は、実施形態１から４のいずれか一に記載の立看板標示シートを被せた立看板である。
<実施形態５  構成>
【００６９】
本実施形態の立看板は、実施形態１から４のいずれか一に記載の立看板標示シートを立看板枠に被せたことによってなる立看板である。
【００７０】
立看板標示シートおよび立看板枠については、既に実施形態１から４において説明したので説明を省略する。
<実施形態５  効果>
【００７１】
本実施形態の立看板により、立看板枠を無駄なく活用することができるとともに、軽量かつ費用等の負担の少ない立看板を提供することが可能である。
<実施形態６>
<実施形態６  概要>
【００７２】
本実施形態は、立看板標示シートを被せた立看板枠上部に弾性部材からなるコーナークッションを取り付けることにより、歩行者や車両などが接触した場合であっても、与える損傷を低減させる立看板である。
<実施形態６  構成>
【００７３】
本実施形態の立看板は、実施形態５を基本とし、立看板枠の断面開口部に挿入するための挿入部を有するコーナークッションを取り付けた立看板である。
【００７４】
図１１は、本実施形態の立看板を説明するための概念図である。立看板枠は、断面が四角形の管となっている場合がある。そして、この管を複数用いて溶接などを行い、立看板枠を形作る。その際、立看板の上部は、外縦枠（１１０３ａ）の一端に外横枠（１１０４ａ）を渡して溶接などが施されている。管の端部に閉口処理を施さない場合には、外縦枠の端部は、管の断面形状にて開口している。この断面開口部（１１０５ａ）にコーナークッション（１１０１ａ）の挿入部（１１０２ａ）を挿入することにより、立看板枠の角の部分にコーナークッションを取り付けるのである。図１１（ｂ）は、コーナークッションが取り付けられた状態の立看板枠を示すものである。なお、コーナークッションを取り付ける場合には、立看板標示シートが断面開口部をふさがないようにしておけばよい。
【００７５】
コーナークッションは、接触時の衝撃を緩和させるためのものであるので、ゴム、ウレタンフォームやポリエチレンフォームなどのスポンジなどの弾性部材を材料とすることが好ましい。なお、挿入部は、断面開口部の形状に応じて作ることができる。
【００７６】
コーナークッションに再帰性反射材を貼付してもよい。再帰性反射材により、見る者に対して、立看板の角の部分について注意喚起を促すことができる。再帰性反射材を貼付したコーナークッションの例を図１２に示す。
【００７７】
図１２ａは、立看板の角の部分にそって取り付けられるコーナークッション（１２０１ａ）であり、略Ｌ字状の再帰性反射材が貼付されている。図１２ｂは、扇形の再帰性反射材（１２０２ｂ）が貼付されるコーナークッション（１２０１ｂ）である。図１２ｃは、円形の再帰反射材（１２０２ｃ）が貼付されるコーナークッション（１２０１ｃ）である。
<実施形態６  効果>
【００７８】
本実施形態の立看板により、歩行者や車両などが立看板に接触した際に与える損傷を低減することができる。
【符号の説明】
【００７９】
０１０１  標示面
０１０２  折返片
０１０３  折返片
０１０４  折返片
０１０５  折返片
０１０６  折返片
０１０７  折返片
０１０８  ハト目
０１０９  ハト目
０１１０  ハト目
０１１１  ハト目
０１１２  ハト目
０１１３  ハト目
【図１】
2011137950.tif 000003
【図２】
2011137950.tif 000004
【図３】
2011137950.tif 000005
【図４】
2011137950.tif 000006
【図５】
2011137950.tif 000007
【図６】
2011137950.tif 000008
【図７】
2011137950.tif 000009
【図８】
2011137950.tif 000010
【図９】
2011137950.tif 000011
【図１０】
2011137950.tif 000012
【図１１】
2011137950.tif 000013
【図１２】
2011137950.tif 000014